(57)【特許請求の範囲】
【請求項１】
撮像手段と、前記撮像手段を介して撮像された画像を表示する表示手段と、前記表示手段に表示された画像内の所定の対象物に関連する情報を取得する対象物関連情報取得手段を有し、前記対象物関連情報取得手段を介して取得された情報を前記表示手段に表示する携帯情報端末において、
前記表示手段に表示された画像内での前記対象物の位置を検出する対象物位置検出手段を有するとともに、
前記対象物位置検出手段を介して検出される前記対象物の位置が、前記表示手段に表示された画像内で特定の条件を満たすときに、該対象物について、前記対象物関連情報取得手段を介して関連する情報を取得し、取得された情報を該画像とともに前記表示手段に表示するようにし、
前記表示手段に表示された画像内において、前記対象物関連情報取得手段を介して情報を表示可能な対象物を検出し、該検出された対象物の近傍に、情報を表示可能な対象物であることを示す標識を重ねて表示するようにしたことを特徴とする携帯情報端末。
【請求項２】
前記取得された情報が、簡易情報であることを特徴とする請求項１に記載の携帯情報端末。
【請求項３】
前記取得された情報が、詳細情報であることを特徴とする請求項１に記載の携帯情報端末。
【請求項４】
前記特定の条件が、前記対象物位置検出手段を介して検出される前記対象物の位置が前記表示手段に表示された画像内の特定範囲内に含まれること、であることを特徴とする請求項１〜３のいずれかに記載の携帯情報端末。
【請求項５】
前記表示手段に表示された画像内における前記特定範囲の位置を設定する特定範囲位置設定手段を有することを特徴とする請求項４に記載の携帯情報端末。
【請求項６】
前記特定の条件が、前記対象物位置検出手段を介して検出される前記対象物の位置が前記表示手段に表示された画像の中心を含む特定範囲内に含まれること、であることを特徴とする請求項１〜３のいずれかに記載の携帯情報端末。
【請求項７】
前記表示手段に表示された画像内における前記特定範囲の大きさを設定する特定範囲サイズ設定手段を有することを特徴とする請求項４〜６のいずれかに記載の携帯情報端末。
【請求項８】
前記特定の条件が、前記対象物位置検出手段を介して検出される前記対象物の位置が前記表示手段に表示された画像の中心に位置すること、であることを特徴とする請求項１〜３のいずれかに記載の携帯情報端末。
【請求項９】
前記表示手段に表示された画像内において、前記対象物位置検出手段による検出対象となる対象物を指定する対象物指定手段を有することを特徴とする請求項１〜８のいずれかに記載の携帯情報端末。
【請求項１０】
前記対象物位置検出手段を介して検出される前記対象物の位置が、前記表示手段に表示された画像内で特定の条件を満たすときに、該検出された対象物の近傍に、情報を表示可能な対象物であることを示す標識を重ねて表示するようにしたことを特徴とする請求項１に記載の携帯情報端末。
【請求項１１】
前記特定の条件が、前記対象物位置検出手段を介して検出される前記対象物の位置が前記表示手段に表示された画像内の特定範囲内に含まれること、であることを特徴とする請求項１０に記載の携帯情報端末。
【請求項１２】
前記特定の条件が、前記対象物位置検出手段を介して検出される前記対象物の位置が前記表示手段に表示された画像の中心を含む特定範囲内に含まれること、であることを特徴とする請求項１０に記載の携帯情報端末。
【請求項１３】
前記特定の条件が、前記対象物位置検出手段を介して検出される前記対象物の位置が前記表示手段に表示された画像の中心に位置すること、であることを特徴とする請求項１０に記載の携帯情報端末。
【請求項１４】
前記情報を表示可能な対象物のうち、情報を表示させたい対象物を選択する対象物選択手段を有するとともに、
前記対象物選択手段により選択され、前記対象物位置検出手段を介して検出される前記対象物の位置が、前記表示手段に表示された画像内で特定の条件を満たすときに、該対象物について、前記対象物関連情報取得手段を介して関連する情報を取得し、取得された情報を前記表示手段に表示するようにしたことを特徴とする請求項１に記載の携帯情報端末。
【請求項１５】
前記特定の条件が、前記対象物選択手段により選択され、前記対象物位置検出手段を介して検出される前記対象物の位置が前記表示手段に表示された画像内における特定範囲内に含まれること、であることを特徴とする請求項１４に記載の携帯情報端末。
【請求項１６】
前記特定の条件が、前記対象物選択手段により選択され、前記対象物位置検出手段を介して検出される前記対象物の位置が前記表示手段に表示された画像の中心を含む特定範囲内に含まれること、であることを特徴とする請求項１４に記載の携帯情報端末。
【請求項１７】
前記特定の条件が、前記対象物選択手段により選択され、前記対象物位置検出手段を介して検出される前記対象物の位置が前記表示手段に表示された画像の中心に位置すること、であることを特徴とする請求項１４に記載の携帯情報端末。
【請求項１８】
請求項１〜１７のいずれかに記載の携帯情報端末における前記対象物関連情報取得手段を介して検索可能なデータベースを備えたサーバと、
前記サーバと通信可能な通信手段を備えた、請求項１〜１７のいずれかに記載の携帯情報端末とからなることを特徴とする携帯情報システム。
【発明の詳細な説明】
【技術分野】
【０００１】
本発明は、携帯情報端末及び携帯情報システムに関し、特に、動物や植物などの対象物の像と、その対象物に関連する情報を表示する携帯情報端末及び携帯情報システムに関する。
【背景技術】
【０００２】
近年、携帯情報端末は、撮像手段を備え、撮像手段で撮像した対象物を表示画面に表示できるようにしたものが一般的となっている。
ところで、携帯情報端末で撮像された対象物が、例えば動物や植物等である場合、その一般名称や特徴等、対象物に関連した情報を知りたい場合がある。そのような場合には、携帯情報端末で撮像した画像とともに、図鑑等の紙媒体やインターネット等の電子媒体など、携帯情報端末とは別の情報取得手段を用いて調べる必要が生じる。しかし、携帯情報端末とは別の情報取得手段を用いて調べたのでは、操作が煩雑となって不便である。
【０００３】
しかるに、従来、そのような操作の煩雑さを解消しうる携帯情報端末として、撮像した対象物の一般名称等の関連情報を、データベース等の情報取得手段を用いて取得し、対象物と共に表示画面に表示するようにした装置が、例えば、次の特許文献１に提案されている。
【特許文献１】特開２００１−２１６３０９号公報
【０００４】
特許文献１に記載の装置は、現在位置を検出する位置情報取得手段と、対象物が存在する方向を検出する方位情報取得手段と、複数の対象物について位置情報を格納するとともに対象物に関連する情報（例えば、名称など）を格納したデータベースと、前記位置情報取得手段により検出した現在位置及び前記方位情報取得手段により検出した方向に基づいて対象物データベースを検索して対象物を特定する制御手段を有し、さらに、制御手段で特定した対象物に関する情報を表示する表示手段を有している。そして、利用者が装置を対象物の方向に向けると、位置情報取得手段が、現在位置を特定するとともに、方位情報取得手段が、方向を検出する、そして、制御手段が、この現在位置及び方向に基づいて対象物データベースを検索して対象物を特定する。次いで、表示手段が、特定された対象物に関する情報を表示する。
【発明の開示】
【発明が解決しようとする課題】
【０００５】
ところで、例えば、サファリパークに放たれている複数種類の動物を観察する等、広大な領域を自由に移動する複数種類の対象物の生態を観察する場合がある。
そのような場合には、観察視野内においては、対象物の観察視野内における位置が変動しやすい。このため、観察視野内において所望の対象物を観察しているときに、その対象物から一旦目を離すと、その後に同じ観察視野を観察しても、その対象物を見失うおそれがある。このため、観察視野内は極力見やすくしておくことが必要となる。
【０００６】
しかるに、特許文献１の装置のように、現在位置における対象物が存在する方向を検出することによって対象物を特定し、特定した対象物に関連する情報を表示する構成では、複数種類の対象物が存在する観察視野を観察すると、複数種類の対象物についての関連情報が表示画面に表示されることになる。それでは、所望の対象物以外の対象物についての関連情報の表示が煩雑化しかえって所望の対象物についての観察の邪魔となってしまう。そして、特に、対象物が動物である場合には、上述のように観察視野内における位置が変動し易いため、表示画面に複数の関連情報が表示されていると、対象物を見失い易くなってしまう。
このため、観察者は、観察者は目や顔を頻繁に動かし、表示画面に撮像された対象物の画像から視線を外して実際の観察視野を肉眼で観察して、一旦見失った所望の対象物を探さざるを得なくなる。あるいは、煩雑に複数の関連情報が表示された画像から所望の対象物を見失わないように注意して観察しなければならなくなる。その結果、観察作業が煩雑化し観察者に負担を与えてしまう。また、対象物についての関連情報が表示画面に表示され過ぎると、対象物と表示されている関連情報との対応付けを見誤るおそれがある。
【０００７】
本発明は上記問題点に鑑みてなされたものであり、観察者の目や顔をほとんど動かすことなく、視野範囲全体に入っている対象物を見失うことなく、所望の対象物のみの関連情報を確認し易く、対象物と関連情報との対応付けが容易な状態で、対象物を観察・撮影することの可能な携帯情報端末及び携帯情報システムを提供することを目的とする。
【課題を解決するための手段】
【０００８】
上記目的を達成するため、本発明による携帯情報端末は、撮像手段と、前記撮像手段を介して撮像された画像を表示する表示手段と、前記表示手段に表示された画像内の所定の対象物に関連する情報を取得する対象物関連情報取得手段を有し、前記対象物関連情報取得手段を介して取得された情報を前記表示手段に表示する携帯情報端末において、前記表示手段に表示された画像内での前記対象物の位置を検出する対象物位置検出手段を有するとともに、前記対象物位置検出手段を介して検出される前記対象物の位置が、前記表示手段に表示された画像内で特定の条件を満たすときに、該対象物について、前記対象物関連情報取得手段を介して関連する情報を取得し、取得された情報を該画像とともに前記表示手段に表示するようにし、前記表示手段に表示された画像内において、前記対象物関連情報取得手段を介して情報を表示可能な対象物を検出し、該検出された対象物の近傍に、情報を表示可能な対象物であることを示す標識を重ねて表示するようにしたことを特徴としている。
【０００９】
また、本発明の携帯情報端末においては、前記取得された情報が、簡易情報であるのが好ましい。
【００１０】
また、本発明の携帯情報端末においては、前記取得された情報が、詳細情報であるのが好ましい。
【００１１】
また、本発明の携帯情報端末においては、前記特定の条件が、前記対象物位置検出手段を介して検出される前記対象物の位置が前記表示手段に表示された画像内の特定範囲内に含まれること、であるのが好ましい。
【００１２】
また、本発明の携帯情報端末においては、前記表示手段に表示された画像内における前記特定範囲の位置を設定する特定範囲位置設定手段を有するのが好ましい。
【００１３】
また、本発明の携帯情報端末においては、前記特定の条件が、前記対象物位置検出手段を介して検出される前記対象物の位置が前記表示手段に表示された画像の中心を含む特定範囲内に含まれること、であるのが好ましい。
【００１４】
また、本発明の携帯情報端末においては、前記表示手段に表示された画像内における前記特定範囲の大きさを設定する特定範囲サイズ設定手段を有するのが好ましい。
【００１５】
また、本発明の携帯情報端末においては、前記特定の条件が、前記対象物位置検出手段を介して検出される前記対象物の位置が前記表示手段に表示された画像の中心に位置すること、であるのが好ましい。
【００１６】
また、本発明の携帯情報端末においては、前記表示手段に表示された画像内において、前記対象物位置検出手段による検出対象となる対象物を指定する対象物指定手段を有するのが好ましい。
【００２０】
また、本発明の携帯情報端末においては、前記対象物位置検出手段を介して検出される前記対象物の位置が、前記表示手段に表示された画像内で特定の条件を満たすときに、該検出された対象物の近傍に、情報を表示可能な対象物であることを示す所定の情報又は標識を重ねて表示するようにするのが好ましい。
【００２１】
また、本発明の携帯情報端末においては、前記特定の条件が、前記対象物位置検出手段を介して検出される前記対象物の位置が前記表示手段に表示された画像内の特定範囲内に含まれること、であるのが好ましい。
【００２２】
また、本発明の携帯情報端末においては、前記特定の条件が、前記対象物位置検出手段を介して検出される前記対象物の位置が前記表示手段に表示された画像の中心を含む特定範囲内に含まれること、であるのが好ましい。
【００２３】
また、本発明の携帯情報端末においては、前記特定の条件が、前記対象物位置検出手段を介して検出される前記対象物の位置が前記表示手段に表示された画像の中心に位置すること、であるのが好ましい。
【００２４】
また、本発明の携帯情報端末においては、前記情報を表示可能な対象物のうち、情報を表示させたい対象物を選択する対象物選択手段を有するとともに、前記対象物選択手段により選択され、前記対象物位置検出手段を介して検出される前記対象物の位置が、前記表示手段に表示された画像内で特定の条件を満たすときに、該対象物について、前記対象物関連情報取得手段を介して関連する情報を取得し、取得された情報を前記表示手段に表示するようにするのが好ましい。
【００２５】
また、本発明の携帯情報端末においては、前記特定の条件が、前記対象物選択手段により選択され、前記対象物位置検出手段を介して検出される前記対象物の位置が前記表示手段に表示された画像内における特定範囲内に含まれること、であるのが好ましい。
【００２６】
また、本発明の携帯情報端末においては、前記特定の条件が、前記対象物選択手段により選択され、前記対象物位置検出手段を介して検出される前記対象物の位置が前記表示手段に表示された画像の中心を含む特定範囲内に含まれること、であるのが好ましい。
【００２７】
また、本発明の携帯情報端末においては、前記特定の条件が、前記対象物選択手段により選択され、前記対象物位置検出手段を介して検出される前記対象物の位置が前記表示手段に表示された画像の中心に位置すること、であるのが好ましい。
【００２８】
また、本発明による携帯情報システムは、上記本発明のいずれかの携帯情報端末における前記対象物関連情報取得手段を介して検索可能なデータベースを備えたサーバと、前記サーバと通信可能な通信手段を備えた、上記本発明のいずれかの携帯情報端末とからなることを特徴としている。
【発明の効果】
【００２９】
本発明によれば、観察者の目や顔をほとんど動かすことなく、視野範囲全体に入っている対象物を見失うことなく、所望の対象物のみの関連情報を確認し易く、対象物と関連情報との対応付けが容易な状態で、対象物を観察・撮影することの可能な携帯情報端末及び携帯情報システムが得られる。
【発明を実施するための最良の形態】
【００３０】
本発明の説明に先立ち、用語の定義を行うこととする。
本発明における簡易情報とは、例えば、対象物の一般名称など、比較的少ない情報量でその対象物を特定できる情報をいう。また、本発明における詳細情報とは、例えば、対象物が動物である場合における、目、科、属、大きさ、分布、生息地、食べ物、鳴き声など、簡易情報に比較して情報量の多い情報をいう。
【００３１】
図１は本発明の携帯情報端末の基本構成の一例を示す説明図、図２は図１に示す携帯情報端末を用いた操作及び処理手順を示すフローチャートである。
本発明の携帯情報端末は、撮像手段１と、表示手段２と、対象物関連情報取得手段３と、対象物位置検出手段６を有している。なお、４は制御手段、５は保存手段である。
表示手段２は、表示画面２1で構成されている。
表示画面２1は、制御手段４からの制御命令により、撮像手段１を介して撮像された画像を表示する機能を備えている。
撮像手段１は、例えば、表示画面２1の裏側に設けられている。
【００３２】
対象物関連情報取得手段３は、抽出手段３1と、照合手段３2を有している。
抽出手段３1は、表示画面２1に表示されている画像から対象物を抽出する。なお、画像から対象物を抽出することができれば、従来公知のどのような構成でも良い。
照合手段３2は、抽出手段３1を介して抽出された対象物の情報をキーとして図示省略した所定のデータベース内のデータと照合処理を行う。そして、データベース内のデータに一致するデータがある場合には、関連する情報を取得する。
保存手段５は、表示画面２1に表示されている画像を記憶・保存する。
対象物位置検出手段６は、表示画面２1に表示されている画像内での、抽出手段３1を介して抽出された対象物の位置を検出する。
【００３３】
制御手段４は、マイクロコンピュータを備えた制御回路であり、携帯情報端末の動作を次のように制御する。
観察者が撮像手段１を所望の観察視野に向けたときには、撮像手段１にその所望の観察視野を撮像させる。次いで、撮像された画像を、表示画面２1に表示する。次いで、抽出手段３1に、表示画面２1に表示されている画像から対象物を抽出させる。次いで、対象物位置検出手段６に、抽出手段３1を介して抽出された対象物の位置を検出させる。そして、検出された対象物の位置が、表示画面２1に表示された画像内で特定の条件を満たすか否かをチェックする。検出された対象物の位置が、表示画面２1に表示された画像内で特定の条件を満たすときに、照合手段３2に、抽出手段３1を介して抽出された対象物の情報をキーとして図示省略した所定のデータベース内のデータと照合処理を行わせる。そして、照合する対象物に関連する情報を取得させ、取得された情報を該画像とともに表示画面２1に表示させる。
また、観察者が図示省略した保存指示ボタンを押したときには、表示画面２1に表示されている画像を保存手段５に記憶・保存させる。
【００３４】
上述の特定の条件としては、例えば、次の条件１〜条件３のいずれかが設定できる。
（条件１）対象物位置検出手段６を介して検出される対象物の位置が表示画面２1に表示された画像内の特定範囲内に含まれること。
（条件２）対象物位置検出手段６を介して検出される対象物の位置が表示画面２1に表示された画像の中心を含む特定範囲内に含まれること。
（条件３）対象物位置検出手段６を介して検出される対象物の位置が表示画面２1に表示された画像の中心に位置すること。
なお、特定範囲は、可変であってもよい。即ち、表示画面２1に表示された画像内における特定範囲の位置を設定する特定範囲位置設定手段（図示省略）を有してもよい。また、表示画面２1に表示された画像内における特定範囲の大きさを設定する特定範囲サイズ設定手段（図示省略）を有してもよい。
【００３５】
このように構成された図１の携帯情報端末では、観察者が撮像手段１を所望の観察視野に向けると、撮像手段１が所定範囲の観察視野を撮像する。撮像された画像は、表示画面２1に表示される（ステップＳ１）。次いで、抽出手段３1が表示画面２1に表示されている画像から対象物を抽出する（ステップＳ２）。
次いで、対象物位置検出手段６が、撮像された画像が表示されている表示画面２1における、抽出手段３1を介して抽出された対象物の位置を検出する（ステップＳ３）。次いで、制御手段４が、検出された対象物の位置が表示画面２1に表示された画像内で上述した特定の条件（例えば条件１〜条件３のいずれか）を満たすか否かをチェックする（ステップＳ４，Ｓ６）。検出された対象物の位置が、表示画面２1に表示された画像内で特定の条件を満たすときに、照合手段３2が、抽出手段３1を介して抽出された対象物の情報をキーとして、図示省略した所定のデータベース内のデータと照合処理を行う（ステップＳ７，Ｓ８）。そして、データベース内のデータに一致するデータがある場合には、その対象物に関連する情報を取得する。そして、表示画面２1が、取得された情報を該画像とともに表示する（ステップＳ９）。この対象物の位置チェックから対象物に関連する情報の表示までの処理を抽出された全てのデータについて行う（ステップＳ５）。
また、観察者が、図示省略した保存指示ボタンを押したとする。すると、保存手段５が、リアルタイムで表示画面２1に表示されている画像を記憶・保存する。
【００３６】
従って、本発明の携帯情報端末によれば、表示手段２に所望の対象物に関する情報以外の不必要な情報を極力表示させずに済むので、所望の対象物を含む所望の観察視野の像をより見やすくすることができる。しかも、所望の対象物に関連する情報の表示を、所望の対象物の位置が、表示画面２1に表示された画像内で特定の条件を満たすときに限定したので、例えば、所望の対象物が表示画面２1の中心に表示されるようにするという自然な観察操作のままで所望の対象物に関連する情報を見ることができる。
【００３７】
なお、所望の対象物の位置の画像内における特定の条件となる特定の範囲は可変にすれば、対象物の大きさや対象物との距離等に応じて最適な観察条件で情報を表示させることができ、観察の自由度が高くなる。
【００３８】
また、本発明の携帯情報端末においては、表示画面２1に表示された画像内において、対象物位置検出手段３による検出対象となる対象物を指定する対象物指定手段（図示省略）を有するのが好ましい。
このようにすれば、画像内に複数対象物が上記特定の条件を満たす位置に位置しても、所望の対象物のみの関連情報を表示させることができる。
このため、被写体と撮像した画像とを目や顔をあまり動かすことなく撮像でき、操作性がよくなる上、観察視野内において他の対象物の関連情報に気をとられることなく所望の対象物のみの関連情報を得ながらその対象物を見失わずに追跡でき、観察し易くなる。
【００３９】
また、本発明の携帯情報端末においては、前記表示手段に表示された画像内において、前記対象物関連情報取得手段を介して情報を表示可能な対象物を検出し、該検出された対象物の近傍に、情報を表示可能な対象物であることを示す所定の情報又は標識を重ねて表示するようにするのが好ましい。
このようにすれば、情報を表示可能な対象物と表示不可能な対象物とを判別でき、情報を表示不可能な対象物について情報を得ようとする無駄な操作をせずに済む。
また、観察者が観察視野内の画像だけの観察では、気付き難い対象物が存在する場合において、その対象物に気付き易くなる。
【００４０】
なお、本発明の携帯情報端末においては、前記対象物位置検出手段を介して検出される前記対象物の位置が、前記表示手段に表示された画像内で特定の条件を満たすときに、該検出された対象物の近傍に、情報を表示可能な対象物であることを示す所定の情報又は標識を重ねて表示するようにするのが好ましい。
このようにすれば、情報を表示可能な対象物と表示不可能な対象物とを判別でき、情報を表示不可能な対象物について情報を得ようとする無駄な操作をせずに済む上、観察画面内において観察の邪魔になる情報を極力排除でき、観察画面が見やすくなる。
なお、特定の条件については、上述した条件と同じでよい。
【００４１】
また、本発明の携帯情報端末においては、前記情報を表示可能な対象物のうち、情報を表示させたい対象物を選択する対象物選択手段を有するとともに、前記対象物選択手段により選択され、前記対象物位置検出手段を介して検出される前記対象物の位置が、前記表示手段に表示された画像内で特定の条件を満たすときに、該対象物について、前記対象物関連情報取得手段を介して関連する情報を取得し、取得された情報を前記表示手段に表示するようにするのが好ましい。
このようにすれば、観察画面内において観察の邪魔になる情報を極力排除して観察に必要な所望の対象物のみの関連情報を得ることができ、観察画面が見やすくなる。
【００４２】
なお、上記取得された情報は、簡易情報であるのが好ましい。また、上記取得された情報は、詳細情報であってもよい。
また、詳細情報を表示する表示画面２2を、撮像された画像を表示する表示画面２1とは別の画面にするとよい。そのようにすれば、互いの表示内容が混在せず、それぞれの表示画面の情報が見やすくなる。また、表示画面を別に設けると、例えば、表示画面同士が重なるようにして携帯情報端末を折り畳み可能に構成することにより、夫々の表示内容を夫々の表示画面で大きく表示させることが可能となる。その結果、画面がより見やすくなるとともに、表示させる観察視野や得られる情報が増える。特に、サファリパークなど広大な領域において放し飼い状態で生息している複数種類の動物を観察するような場合に、その効果は大きくなる。
【００４３】
ところで、観察している対象物が音声を発する動物である場合、その動物の鳴き声を聞けるとより好ましい。しかし、動物が鳴くとは限らず、また、複数種類の動物が混在してどの鳴き声がどの動物であるか特定できない場合が起こりうる。さらには、遠方から観察した場合、小さな鳴き声の動物の声は観察者に聞こえない場合も起こりうる。
そこで、本発明の携帯情報端末においては、更に、スピーカーを有し、表示画面２1における、対象物関連情報取得手段３を介して詳細情報を取得可能な対象物が表示されている部位にタッチしたときに、タッチした対象物に関連する音声情報を、対象物関連情報取得手段３を介して取得し、取得した音声情報を、スピーカーより出力するようにするとより好ましい。
【００４４】
また、本発明の携帯情報端末においては、撮像手段１を介して撮像された画像が表示されている表示画面２1における、対象物関連情報取得手段３を介して詳細情報を取得可能な対象物を検出し、表示されている表示画面２1における検出した対象物の近傍に、詳細情報を取得可能な対象物であることを示す情報を重ねて表示するように構成するのが好ましい。
このようにすれば、詳細情報のない対象物を無駄に選択することがなくなる。また、対象物が複数存在する場合に、選択が容易になり、選択や認識の誤りがなくなる。さらには、観察視野内で気付き難い対象物にも気付き易くなる。
そして、直接目で見ているように広い範囲を見ながら自然な状態で撮像でき、その中での対象物が複数存在していても、詳細情報を知りたい対象物を直感的に選択することができる。
【００４５】
なお、詳細情報を取得可能な対象物であることを示す情報としては、所定の標識（対象物を図案化したマーク、点滅表示物など）や、対象物関連情報取得手段３を介して取得した対象物の名称などの簡易情報など、詳細情報を取得可能な対象物であることを示すことができれば、どのようなものでもよい。
【００４６】
また、本発明の携帯情報端末においては、詳細情報が表示されている表示画面２2の表面が、タッチパネルで構成され、タッチパネルを介して所定の画面操作を行うことができるようにするとより好ましい。
そして、所定の画面操作が、詳細情報の表示倍率の変更操作であるのが好ましい。または、所定の画面操作が、詳細情報の表示に対するさらに詳細な情報の表示操作であるのが好ましい。
【００４７】
また、本発明の携帯情報端末においては、詳細情報の表示に対するさらに詳細な情報の表示操作が、詳細情報が表示されている表示画面２2における、所望の情報が表示されている部位にタッチしたときに、タッチした部位に表示されている情報に関連する詳細情報を、対象物関連情報取得手段３を介して取得し、詳細情報が表示されている表示画面２2の所定領域に表示するようにするのが好ましい。
このようにすれば、より詳細な情報の表示や拡大表示ができ、よりわかりやすくなる。
【００４８】
また、本発明の携帯情報端末においては、撮像手段１を介して撮像された画像をリアルタイムで表示する表示画面２1を備える基部と、所望の対象物に関連する詳細情報を表示する表示画面２2を備える基部とがヒンジ手段を介して折り畳み可能に構成されているのが好ましい。
このようにすれば、携帯電話全体を大型化することなく、リアルタイムで表示する画面と詳細情報を表示する画面を最大限に大きくすることができる。
【００４９】
また、本発明による携帯情報システムは、上記本発明のいずれかの携帯情報端末における対象物関連情報取得手段３を介して検索可能なデータベースを備えたサーバと、サーバと通信可能な通信手段を備えた、上記本発明のいずれかの携帯情報端末とからなるようにするとよい。
携帯情報端末における対象物関連情報の取得は、データベースを用いて検索する。その場合、データベースは、携帯情報端末に備えてもよい。但し、そのようにすると、容量の都合上、検索可能なデータが比較的限られたものとなる。そこで、本発明の携帯情報システムのように、データベースを携帯情報端末の外部のサーバに設け、携帯情報端末に備わる通信部を介してサーバとの交信によりデータの検索ができるようにするとよい。このようにすれば、検索可能なデータベースのデータ容量を大きくすることができ、より多くの対象物についてより詳しい詳細情報を得ることができるようになる。
【００５０】
なお、図１は本発明の携帯情報端末の基本構成の一例を示したものにすぎない。従って、撮像手段と、前記撮像手段を介して撮像された画像を表示する表示手段と、前記表示手段に表示された画像内の所定の対象物に関連する情報を取得する対象物関連情報取得手段を有し、前記対象物関連情報取得手段を介して取得された情報を前記表示手段に表示する携帯情報端末において、前記表示手段に表示された画像内での前記対象物の位置を検出する対象物位置検出手段を有するとともに、前記対象物位置検出手段を介して検出される前記対象物の位置が、前記表示手段に表示された画像内で特定の条件を満たすときに、該対象物について、前記対象物関連情報取得手段を介して関連する情報を取得し、取得された情報を該画像とともに前記表示手段に表示するものであれば、どのような構成でもよい。
【００５１】
次に、本発明のより具体的な実施形態について説明する。
第一実施形態
図３は本発明の第一実施形態にかかる携帯情報端末の概略構成図、図４は図３に示す携帯情報端末の説明図で、(a)は観察視野の一例を示す図、(b)は(a)の観察視野を実際に観察時の使用態様を示す斜視図である。図５は図４の携帯情報端末における表示画面での表示例を示す説明図で、(a)は一表示例を示す図、(b)は変形例を示す図である。図６は第一実施形態の携帯情報端末を用いた操作及び処理手順を示すフローチャートである。なお、図１に示した携帯情報端末と同じ構成については、同じ符号を付してあり、詳細な説明は省略する。また、図４中、１００は観察者の指である。
第一実施形態にかかる携帯情報端末では、照合手段３2は、簡易情報有無チェック手段３2ａとして構成されている。簡易情報有無チェック手段３2ａは、簡易情報取得手段３2ａ１を有している。
簡易情報有無チェック手段３2ａは、抽出手段３1を介して抽出された対象物の情報をキーとして図示省略した所定のデータベース内のデータと照合処理を行う。簡易情報取得手段３2ａ１は、データベース内のデータに一致するデータがある場合には、関連する簡易情報を取得する。
【００５２】
また、第一実施形態にかかる携帯情報端末では、制御手段４は、マイクロコンピュータを備えた制御回路であり、携帯情報端末の動作を次のように制御する。
観察者が撮像手段１を所望の観察視野に向けたときには、撮像手段１にその所望の観察視野を撮像させる。次いで、撮像された画像を、表示画面２1にリアルタイムで表示させる。次いで、抽出手段３1に、表示画面２1に表示されている画像から対象物を抽出させる。次いで、対象物位置検出手段６に、抽出手段３1を介して抽出された対象物の位置を検出させる。そして、検出された対象物の位置が、表示画面２1に表示された画像内で特定の条件を満たすか否かをチェックする。検出された対象物の位置が、表示画面２1に表示された画像内で特定の条件を満たすときに、照合手段３2の簡易情報有無チェック手段３2ａに、抽出手段３1を介して抽出された対象物の情報をキーとして図示省略した所定のデータベース内のデータと照合処理を行わせる。そして、簡易情報取得手段３2ｂに、照合する対象物に関連する簡易情報を取得させ、取得された簡易情報を、表示されている画像に重ねて、表示画面２1に表示させる。
【００５３】
特定の条件としては、例えば、次の条件１1又は条件２1が設定されている。
（条件１1）図５(a)に示すように、対象物位置検出手段６を介して検出される対象物（図５(a)では、へびＡ２）の位置が表示画面２1に表示された画像内の特定範囲内（表示枠P１の内側領域）に含まれること。
（条件２1）図５(b)に示すように、対象物位置検出手段６を介して検出される対象物（図５(b)では、へびＡ２）の位置が表示画面２1に表示された画像の中心を含む特定範囲内（表示画面２1の中心Ｏ１を中心とした半径ｒ１の範囲内）に含まれること。
また、特定範囲は、可変となっている。条件１1を設定する構成では、表示画面２1に表示された画像内における特定範囲の位置を設定する特定範囲位置設定手段（図示省略）を有している。また、条件１1、条件２1のいずれを設定する構成においても、表示画面２1に表示された画像内における特定範囲の大きさを設定する特定範囲サイズ設定手段（図示省略）を有している。
なお、条件１1を設定する構成では、表示画面２1には、表示枠Ｐ１を画像と共に表示するようにしてある。また、条件２1を設定する構成では、表示画面２1には、表示画面２1の中心Ｏ１を画像と共に表示するようにしてある。
なお、条件１1、条件２1の他にも、次の条件３1を設定しても良い。
（条件３1）対象物位置検出手段６を介して検出される対象物の位置が表示画面２1に表示された画像の所定の点（例えば、表示画面２1の中心Ｏ１）に位置すること。
その他の構成は、図１に示した携帯情報端末と略同じである。
【００５４】
このように構成された第一実施形態の携帯情報端末を用いて所望の観察視野を観察するときの表示画面の表示内容を図４及び図５を用いて説明する。
ここでは、サファリパーク等の広大な領域を観察する場合について説明する。図４(a)に示すように、観察視野Ａには、象Ａ１、へびＡ２、カバＡ３、蝶Ａ４、その他の樹木Ｚが含まれているものとする。また、象Ａ１、へびＡ２、蝶Ａ４についての関連情報（簡易情報及び詳細情報）は、図示省略した所定のデータベースに蓄積されており、これら以外の対象物（カバＡ３、樹木Ｚ）についての関連情報（簡易情報及び詳細情報）は、データベースに蓄積されていないものとする。また、ここでは、観察者は、へびについての簡易情報を所望しているものとする。なお、これらのサファリパーク等の広大な領域を観察する場合における観察視野Ａ、象Ａ１、へびＡ２、カバＡ３、蝶Ａ４、その他の樹木Ｚ、及びこれらについての関連情報の有無については、後述する各実施形態においても同じであるものとする。
【００５５】
使用に際しては、図４(b)に示すように、表示画面２1の設けられた基部と表示画面２2の設けられた基部とをヒンジ手段６を介して開く。そして、観察者からみて表示画面２1の前方に観察視野Ａが位置するように表示画面２1を備えた基部を開く。そして、撮像手段１を観察視野Ａに向ける。すると、撮像手段１が観察視野Ａを撮像する。
【００５６】
撮像手段１を介して撮像された観察視野Ａの画像は、表示画面２1にリアルタイムで表示される（ステップＳ１１）。次いで、抽出手段３1が表示画面２1にリアルタイムで表示されている画像から対象物を抽出する（ステップＳ１２）。次いで、対象物位置検出手段６が、撮像された画像が表示されている表示画面２1における、抽出手段３1を介して抽出された対象物の位置を検出する（ステップＳ１３）。次いで、制御手段４が、検出された対象物の位置が、表示画面２1に表示された画像内で特定の条件を満たすか否かをチェックする（ステップＳ１４，Ｓ１６）。検出された対象物の位置が、表示画面２1に表示された画像内で特定の条件を満たすとき（即ち、図５(a)の構成では、へびＡ２が表示枠Ｐ１の内側に入っているとき、図５(b)の構成では、へびＡ２が中心Ｏ１を中心として半径ｒ１の範囲内に入っているとき）、照合手段３2が、抽出手段３1を介して抽出された対象物の情報をキーとして、図示省略した所定のデータベース内のデータと照合処理を行う（ステップＳ１７，Ｓ１８）。そして、データベース内のデータに一致するデータがある場合には、その対象物に関連する簡易情報を取得する（へびＡ２については、データベース内のデータに一致するデータがあるので、へびＡ２に関連する簡易情報としての一般名称”へび”を取得する）。そして、表示画面２1が、取得された簡易情報を該画像とともに表示する（へびＡ２の一般名称”へび”を表示する。なお、第一実施形態では、それとともに、へびＡ２の位置を”×”印で表示させている）（ステップＳ１９）。この対象物の位置チェックから対象物に関連する簡易情報の表示までの処理を抽出された全てのデータについて行う（ステップＳ１５）。
【００５７】
ここでは、象Ａ１、へびＡ２、蝶Ａ４については、関連情報データが存在している。
しかるに、第一実施形態の携帯情報端末では、図５に示す表示画面２1に表示されている画像においては、これらの対象物のうち、へびＡ２のみが、特定の条件を満たす位置（表示枠Ｐ１の内側）に入っているため、へびＡ２についての簡易情報のみが表示され、他の象Ａ１、蝶Ａ４についての関連情報は表示されていない。
象Ａ１、蝶Ａ４についての関連情報は、特定の条件を満たす位置に来たときに、表示される。また、へびＡ２についての関連情報は、へびＡ２が特定の条件を満たす位置を外れたときに表示されなくなる。
【００５８】
第一実施形態の携帯情報端末によれば、表示画面２1に所望の対象物以外の対象物に関する不必要な情報を表示させずに済むので、所望の対象物を含む所望の観察視野の像をより見やすくすることができる。また、対象物に関連する情報の表示を、対象物の位置が、表示画面２1に表示された画像内で特定の条件を満たすときに限定したので、例えば、所望の対象物を表示画面２1の中心に表示されるようにするという自然な動作でその所望の対象物に関連する情報を見ることができる。その結果、画面がより見やすくなるとともに、表示させることのできる観察視野が相対的に増える。特に、サファリパークなど広大な領域において放し飼い状態で生息している複数種類の動物を観察するような場合に、その効果は大きくなる。
また、所望の対象物の位置の画像内における特定の条件となる特定の範囲を可変としたので、対象物の大きさや対象物との距離等、観察条件に応じてもっとも観察しやすい条件で情報を表示させることができ、観察の自由度が高くなる。
【００５９】
第二実施形態
図７は本発明の第二実施形態にかかる携帯情報端末の概略構成図である。図８は図７の携帯情報端末における表示画面での表示例を示す説明図で、(a)は関連情報を有しない対象物が特定の条件を満たし、関連情報を有する対象物が特定の条件を満たしていないときの表示状態を示す図、(b)は関連情報を有する対象物が特定の条件を満たしているときの表示状態を示す図である。図９は第二実施形態の携帯情報端末を用いた操作及び処理手順を示すフローチャートである。なお、図１に示した携帯情報端末と同じ構成については、同じ符号を付してあり、詳細な説明は省略する。
【００６０】
第二実施形態にかかる携帯情報端末では、表示手段２は、表示画面２1と、表示画面２2を有している。また、照合手段３2は、詳細情報有無チェック手段３2ａ’と、詳細情報取得手段３2ｂ’を有して構成されている。
表示画面２1は、制御手段４からの制御命令により、撮象手段１を介して撮像された画像をリアルタイムで表示する。表示画面２2は、詳細情報取得手段３2ｂ’を介して取得された詳細情報を表示する。
詳細情報有無チェック手段３2ａ’は、抽出手段３1を介して抽出された対象物の情報をキーとして図示省略した所定のデータベース内のデータと照合処理を行う。詳細情報取得手段３2ｂ’は、データベース内のデータに一致するデータがある場合には、関連する詳細情報を取得する。
【００６１】
また、第二実施形態にかかる携帯情報端末では、制御手段４は、マイクロコンピュータを備えた制御回路であり、携帯情報端末の動作を次のように制御する。
観察者が撮像手段１を所望の観察視野に向けたときには、撮像手段１にその所望の観察視野を撮像させる。次いで、撮像された画像を、表示画面２1にリアルタイムで表示させる。次いで、抽出手段３1に、表示画面２1に表示されている画像から対象物を抽出させる。次いで、対象物位置検出手段６に、抽出手段３1を介して抽出された対象物の位置を検出させる。そして、検出された対象物の位置が、表示画面２1に表示された画像内で特定の条件を満たすか否かをチェックする。検出された対象物の位置が、表示画面２1に表示された画像内で特定の条件を満たすときに、照合手段３2の詳細情報有無チェック手段３2ａ’に、抽出手段３1を介して抽出された対象物の情報をキーとして図示省略した所定のデータベース内のデータと照合処理を行わせる。そして、詳細情報取得手段３2ｂ’に、照合する対象物に関連する詳細情報を取得させ、取得された詳細情報を表示画面２2に表示させる。
【００６２】
特定の条件としては、例えば、次の条件１2が設定されている。
（条件１2）図８(b)に示すように、対象物位置検出手段６を介して検出される対象物（図８(a)では、へびＡ２）の位置が表示画面２1に表示された画像内の特定範囲内（表示枠P１の内側領域）に含まれること。
なお、その他の条件として、次の条件２2又は条件３2を設定しても良い。
（条件２2）対象物位置検出手段６を介して検出される対象物の位置が表示画面２1に表示された画像の中心を含む特定範囲内に含まれること。
（条件３2）対象物位置検出手段６を介して検出される対象物の位置が表示画面２1に表示された画像の所定の点に位置すること。
また、特定範囲は、可変となっている。条件１2を設定する構成では、表示画面２1に表示された画像内における特定範囲の位置を設定する特定範囲位置設定手段（図示省略）を有している。また、条件１2、条件２2のいずれを設定する構成においても、表示画面２1に表示された画像内における特定範囲の大きさを設定する特定範囲サイズ設定手段（図示省略）を有している。
なお、条件１2を設定する構成では、表示画面２1には、表示枠Ｐ１を画像と共に表示するようにしてある。また、条件２2を設定する構成では、表示画面２1には、表示画面２1の中心を画像と共に表示することができるようになっている。
その他の構成は、図１に示した携帯情報端末と略同じである。
【００６３】
このように構成された第二実施形態の携帯情報端末を用いて所望の観察視野を観察するときの表示画面の表示内容を図８及び図９を用いて説明する。
第二実施形態においても、第一実施形態と同様、サファリパーク等の広大な領域を観察する場合について説明する。図８(a)では、表示画面２1には観察視野Ａのうち、象Ａ１、へびＡ２、カバＡ３、樹木Ｚが含まれる範囲が表示されているものとする。図８(b)では、表示画面２1には観察視野Ａのうち、象Ａ１、へびＡ２、カバＡ３、蝶４が含まれる範囲が表示されているものとする。また、ここでは、最初に図８(a)に示す画像が得られる向きに撮像手段１を向け、徐々に撮像手段1の向きを移動させて図８(b)に示す画像が得られるようにしたものとする。また、第一実施形態と同様、象Ａ１、へびＡ２、蝶４以外の対象物（カバＡ３、樹木Ｚ）についての関連情報（簡易情報及び詳細情報）はデータベースに蓄積されていないものとする。
【００６４】
撮像手段１を介して撮像された観察視野Ａの画像は、表示画面２1にリアルタイムで表示される（ステップＳ３１）。次いで、抽出手段３1が表示画面２1にリアルタイムで表示されている画像から対象物を抽出する（ステップＳ３２）。次いで、対象物位置検出手段６が、撮像された画像が表示されている表示画面２1における、抽出手段３1を介して抽出された対象物の位置を検出する（ステップＳ３３）。次いで、制御手段４が、検出された対象物の位置が、表示画面２1に表示された画像内で特定の条件を満たすか否かをチェックする（ステップＳ３４，Ｓ３６）。検出された対象物の位置が、表示画面２1に表示された画像内で特定の条件を満たすとき（即ち、図８(a)の構成においては、カバＡ３が表示枠Ｐ１の内側に入っているとき、図８(b)の構成においては、へびＡ２が表示枠P１の内側に入っているとき）、照合手段３2の詳細情報有無チェック手段３2ａ’が、抽出手段３1を介して抽出された対象物の情報をキーとして、図示省略した所定のデータベース内のデータと照合処理を行う（ステップＳ３７，Ｓ３８）。そして、データベース内のデータに一致するデータがある場合には、その対象物に関連する詳細情報を取得する（なお、図８(a)では、カバＡ３については、データベース内のデータに一致するデータがないので詳細情報は取得されない。一方、図８(b)では、へびＡ２については、データベース内のデータに一致するデータがあるので、へびＡ２に関連する詳細情報を取得する）。そして、表示画面２2が、取得された詳細情報を表示する（ステップＳ３９）。この対象物の位置チェックから対象物に関連する簡易情報の表示までの処理を抽出された全てのデータについて行う（ステップＳ３５）。
【００６５】
即ち、第二実施形態の携帯情報端末では、図８(a)に示す表示画面２1に表示されている画像においては、カバＡ３が特定の条件を満たす位置（即ち、表示枠Ｐ１の内側）に入っているが、カバＡ３についての関連情報はデータベースに蓄積されていないので、表示画面２2にはカバＡ３についての詳細情報は表示されない。また、その他の対象物は、特定の条件を満たす位置に入っていないので、それらの対象物に関する詳細情報も表示画面２2には表示されない。
一方、図８(b)に示す表示画面２1に表示されている画像においては、へびＡ２が特定の条件を満たす位置におり、へびＡ２についての関連情報はデータベースに蓄積されているので、表示画面２2にはへびＡ２についての詳細情報が表示される。また、その他の対象物のうち象Ａ１、蝶Ａ４は、特定の条件を満たす位置に入っていないので、それらの対象物に関する詳細情報は表示画面２2には表示されない。
【００６６】
第二実施形態の携帯情報端末によれば、表示画面２2に所望の対象物以外の対象物に関する不必要な情報を表示させずに済むので、表示画面２1に表示されている所望の対象物を含む所望の観察視野の像をより見やすくすることができる。しかも詳細情報を表示するようにしたので、対象物をリアルタイムで観察しながらその対象物に詳しく知ることができる。また、対象物に関連する情報の表示を、対象物の位置が、表示画面２1に表示された画像内で特定の条件を満たすときに限定したので、例えば、所望の対象物を表示画面２1の中心に表示されるようにするという自然な動作でその所望の対象物に関連する情報を見ることができる。その結果、画面がより見やすくなるとともに、表示させる観察視野が増える。特に、サファリパークなど広大な領域において放し飼い状態で生息している複数種類の動物を観察するような場合に、その効果は大きくなる。
その他の効果は第一実施形態の携帯情報端末と略同じである。
【００６７】
第三実施形態
図１０は本発明の第三実施形態にかかる携帯情報端末の概略構成図である。図１１は図１０の携帯情報端末における表示画面での表示例を示す説明図で、(a)は表示画面において所望の対象物を指定したときの状態を示す図、(b)は(a)と同じ表示内容を示す図であって、(a)において指定されていない対象物が特定の条件を満たし、(a)において指定された対象物が特定の条件を満たしていないときの表示状態を示す図、(c)は(a)において指定された対象物が特定の条件を満たしているときの表示状態を示す図である。図１２は第三実施形態の携帯情報端末を用いた操作及び処理手順を示すフローチャートである。なお、図１に示した携帯情報端末と同じ構成については、同じ符号を付してあり、詳細な説明は省略する。
【００６８】
第三実施形態にかかる携帯情報端末では、表示手段２における表示画面２1は、画像表示部２1ａと、対象物指定部２1ｂとしての機能を有している。画像表示部２1ａは、制御手段４からの制御命令により、撮像手段１を介して撮像された画像をリアルタイムで表示する機能を有する。対象物指定部２1ｂは、タッチパネルを介して、表示されている対象物のうち関連情報の表示を所望する対象物を、観察者に指定させる機能を有する。なお、ここでの対象物指定部２1ｂによる指定では、関連情報を表示できない対象物についても指定できる。従って、対象物指定部２1ｂは、実質的には、観察者に対し、対象物位置検出手段６による位置の検出対象となる対象物を指定させる機能を有している。
【００６９】
また、第三実施形態にかかる携帯情報端末では、制御手段４は、マイクロコンピュータを備えた制御回路であり、携帯情報端末の動作を次のように制御する。
観察者が撮像手段１を所望の観察視野に向けたときには、撮像手段１にその所望の観察視野を撮像させる。次いで、撮像された画像を、表示画面２1の画像表示部２1ａにリアルタイムで表示させる。また、観察者が表示画面２1の対象物指定部２1ｂにおいて、対象物検出手段６による位置の検出を所望する対象物の表示部位にタッチしたときに、抽出手段３1に、表示画面２1に表示されている画像から対象物を抽出させる。次いで、対象物位置検出手段６に、抽出手段３1を介して抽出された対象物の位置を検出させる。そして、検出された対象物の位置が、表示画面２1に表示された画像内で特定の条件を満たすか否かをチェックする。検出された対象物の位置が、表示画面２1に表示された画像内で特定の条件を満たすときに、照合手段３2に、抽出手段３1を介して抽出された対象物の情報をキーとして図示省略した所定のデータベース内のデータと照合処理を行わせる。そして、照合する対象物に関連する情報を取得させ、取得された情報を、表示されている画像に重ねて表示画面２1に表示させる。
【００７０】
特定の条件としては、例えば、次の条件１3が設定されている。
（条件１3）図１１(c)に示すように、対象物位置検出手段６を介して検出される対象物（図１１(a)では、へびＡ２）の位置が表示画面２1に表示された画像内の特定範囲内（表示枠P１の内側領域）に含まれること。
なお、その他の条件として、次の条件２3又は３3を設定しても良い。
（条件２3）対象物位置検出手段６を介して検出される対象物の位置が表示画面２1に表示された画像の中心を含む特定範囲内に含まれること。
（条件３3）対象物位置検出手段６を介して検出される対象物の位置が表示画面２1に表示された画像の所定の点に位置すること。
また、特定範囲は、可変となっている。条件１3を設定する構成では、表示画面２1に表示された画像内における特定範囲の位置を設定する特定範囲位置設定手段（図示省略）を有している。また、条件１3、条件２3のいずれを設定する構成においても、表示画面２1に表示された画像内における特定範囲の大きさを設定する特定範囲サイズ設定手段（図示省略）を有している。
なお、条件１3を設定する構成では、表示画面２1には、表示枠Ｐ１を画像と共に表示するようにしてある。また、条件２3を設定する構成では、表示画面２1には、表示画面２1の中心を画像と共に表示することができるようになっている。
その他の構成は、図１に示した携帯情報端末と略同じである。
【００７１】
このように構成された第三実施形態の携帯情報端末を用いて所望の観察視野を観察するときの表示画面の表示内容を図１１及び図１２を用いて説明する。
第三実施形態においても、第一実施形態と同様、サファリパーク等の広大な領域を観察する場合について説明する。図１１(a) ，(b)では、表示画面２1には観察視野Ａのうち、象Ａ１、へびＡ２、カバＡ３、樹木Ｚが含まれる範囲が表示されているものとする。図１１(c)では、表示画面２1には観察視野Ａのうち、象Ａ１、へびＡ２、カバＡ３、蝶４が含まれる範囲が表示されているものとする。また、ここでは、最初に図１１(a)，(b)に示す画像が得られる向きに撮像手段１を向け、表示されている対象物のうち関連情報を所望する対象物（実質的には、対象物位置検出手段６による位置の検出を所望する対象物である。ここでは、へびＡ２）を指定した後、徐々に撮像手段1の向きを移動させて図１１(c)に示す画像が得られるようにしたものとする。また、第一実施形態と同様、象Ａ１、へびＡ２、蝶４以外の対象物についての関連情報（簡易情報及び詳細情報）はデータベースに蓄積されていないものとする。
【００７２】
撮像手段１を介して撮像された観察視野Ａの画像は、表示画面２1にリアルタイムで表示される（ステップＳ４１）。ここでは、図１１(a)に示す画像が表示されているものとする。
ここで、観察者が、撮像手段１を介して撮像された画像がリアルタイムで表示されている表示画面２1の対象物指定部２1ａにおいて、関連情報の表示を所望する対象物が表示されている部位として、へびＡ２が表示されている部位に指１００でタッチしたとする（ステップＳ４２）。すると、抽出手段３1が表示画面２1にリアルタイムで表示されている画像における観察者がタッチした部位から対象物を抽出する（ステップＳ４３）。次いで、対象物位置検出手段６が、撮像された画像が表示されている表示画面２1における、抽出手段３1を介して抽出された対象物の位置を検出する（ステップＳ４４）。次いで、制御手段４が、検出された対象物の位置が、表示画面２1に表示された画像内で特定の条件を満たすか否かをチェックする（ステップＳ４５，Ｓ４７）。検出された対象物の位置が、表示画面２1に表示された画像内で特定の条件を満たすとき（即ち、図１１(c)に示すように、へびＡ２が表示枠Ｐ１の内側に入っているとき）、照合手段３2が、抽出手段３1を介して抽出された対象物の情報をキーとして、図示省略した所定のデータベース内のデータと照合処理を行う（ステップＳ４８，Ｓ４９）。そして、データベース内のデータに一致するデータがある場合には、その対象物に関連する情報を取得する（なお、図１１(c)では、へびＡ２に関連する情報として、例えば一般名称”へび”を取得する。）。そして、表示画面２1の画像表示部２1ａが、取得された情報を、表示されている画像とともに表示する（即ち、図１１(c)に示すように、へびＡ２の一般名称”へび”を表示する。なお、第三実施形態では、それとともに、へびＡ２の位置を”×”印で表示させている）（ステップＳ５０）。この対象物の位置チェックから対象物に関連する簡易情報の表示までの処理を抽出された全てのデータについて行う（ステップＳ４６）。
【００７３】
即ち、第三実施形態の携帯情報端末においては、図１１(a)に示すように表示画面２1の画像表示部２1ａに複数種類の対象物が表示されている。ここで、観察者が、それらの対象物のうち、対象物指定部２1ｂを介してへびＡ２を指定したとする。このとき、図１１(b)に示すように、カバＡ３が特定の条件を満たす位置（即ち、表示枠Ｐ１の内側）に入っているが、カバＡ３は、指定されてなく、また、そもそもカバＡ３についての関連情報はデータベースに蓄積されていないので、表示画面２1の画像表示部２1ａにはカバＡ３についての関連情報は表示されない。また、対象物指定部２1ｂを介して指定されたへびＡ２は、特定の条件を満たす位置に入っていないので、へびＡ２に関する関連情報も表示画面２1の画像表示部２1ａには表示されない。その他の対象物は、指定されてなく、特定の条件を満たす位置にも入っていないので、表示画面２1の画像表示部２1ａにはそれらの対象物についての関連情報は表示されない。
一方、図１１(c) に示す表示画面２1の画像表示部２1ａに表示されている画像においては、対象物指定部２1ｂを介して指定されたへびＡ２が特定の条件を満たす位置に入っており、へびＡ２についての関連情報はデータベースに蓄積されているので、表示画面２1の画像表示部２1ａにはへびＡ２についての関連情報が表示される。なお、その他の関連情報を表示可能な対象物は、特定の条件を満たす位置に入っていない。このため、対象物指定部２１ｂを介して指定されていたとしても、それらの対象物に関する簡易情報は、表示画面２1の画像表示部２1ａには表示されない。
【００７４】
第三実施形態の携帯情報端末によれば、観察者が関連情報の表示を所望する対象物を予め指定することができるようにした。このため、関連情報の表示を所望しない対象物が関連情報を所望する対象物とともに特定の条件を満たす位置に入っても、観察者が所望する対象物のみの関連情報を表示させることができ、表示画面２1に表示されている所望の対象物を含む所望の観察視野の像をより見やすくすることができる。
その他の効果は、第一実施形態の携帯情報端末と略同じである。
【００７５】
第四実施形態
図１３は本発明の第四実施形態にかかる携帯情報端末の概略構成図である。図１４は図１３の携帯情報端末における表示画面での表示例を示す説明図で、(a)は選択された対象物が特定の条件を満たしていないときの表示状態を示す図、(b)は選択された対象物が特定の条件を満たしているときの表示状態を示す図である。図１５は第四実施形態の携帯情報端末を用いた操作及び処理手順を示すフローチャートである。なお、図１に示した携帯情報端末と同じ構成については、同じ符号を付してあり、詳細な説明は省略する。
【００７６】
第四実施形態にかかる携帯情報端末では、表示手段２における表示画面２1は、画像表示部２1ａと、対象物選択部２1ｂ’としての機能を有している。画像表示部２1ａは、制御手段４からの制御命令により、撮像手段１を介して撮像された画像、及び後述する標識供給手段３2ｂ”を介して供給される、簡易情報を表示可能な対象物であることを示す標識を、リアルタイムで表示する機能とともに、後述する簡易情報取得手段３2ｃ”を介して取得された簡易情報を表示する機能を有する。対象物選択部２1ｂ’は、タッチパネルを介して、標識が表示されている対象物のうちから簡易情報の表示を所望する対象物を、観察者に選択させる機能を有する。そして、ここでの対象物選択部２1ｂ’は、観察者に対し、簡易情報を表示可能な対象物の中から、対象物位置検出手段６による位置の検出対象となる対象物を選択させる機能を有している。
また、第四実施形態にかかる携帯情報端末では、照合手段３2は、簡易情報有無チェック手段３2ａ”と、標識供給手段３2ｂ”と、簡易情報取得手段３2ｃ”を有して構成されている。
簡易情報有無チェック手段３2ａ”は、抽出手段３1を介して抽出された対象物の情報をキーとして図示省略した所定のデータベース内のデータと照合処理を行う。標識供給手段３2ｂ”は、データベース内のデータに一致するデータがある場合には、簡易情報を表示可能であることを示す所定の標識（ここでは”×”印）を画像表示部２1ａにおける対象物に対応する位置に供給する。簡易情報取得手段３2ｃ”は、データベース内のデータから関連する簡易情報を取得し、画像表示部２1ａにおける対象物に対応する位置に供給する。
【００７７】
また、第四実施形態にかかる携帯情報端末では、制御手段４は、マイクロコンピュータを備えた制御回路であり、携帯情報端末の動作を次のように制御する。
観察者が撮像手段１を所望の観察視野に向けたときには、撮像手段１にその所望の観察視野を撮像させる。次いで、撮像された画像を、表示画面２1の画像表示部２1ａにリアルタイムで表示させる。次いで、抽出手段３1に、表示画面２1にリアルタイムで表示されている画像から対象物を抽出させる。次いで、対象物位置検出手段６に、抽出手段３1を介して抽出された対象物の位置を検出させるとともに、照合手段３2の簡易情報有無チェック手段３2ａ”に、抽出手段３1を介して抽出された対象物の情報をキーとして図示省略した所定のデータベース内のデータと照合処理を行わせる。そして、照合するデータが存在する対象物に対しては、標識供給手段３2ｂ”を介して、簡易情報を表示可能な対象物であることを示す標識（ここでは”×”印）を表示画面２1の画像表示部２1ａに表示させる。
また、観察者が表示画面２1の対象物選択部２1ｂ’において、標識が表示されている対象物のうち簡易情報の表示を所望する対象物の表示部位にタッチしたときに、対象物位置検出手段６に、タッチされた対象物の現在の位置を検出させる。そして、検出された対象物の位置が、表示画面２1に表示された画像内で特定の条件を満たすか否かをチェックする。検出された対象物の位置が、表示画面２1に表示された画像内で特定の条件を満たすときに、簡易情報取得手段３2ｃ”に、抽出手段３1を介して抽出された対象物の情報をキーとして図示省略した所定のデータベース内のデータと照合処理を行わせる。そして、照合する対象物に関連する簡易情報を取得させ、取得された簡易情報を、表示されている画像に重ねて表示画面２1の画像表示部２1ａに表示させる。
【００７８】
ここでの特定の条件としては、例えば、次の条件１4が設定されている。
（条件１4）図１４(b)に示すように、対象物位置検出手段６を介して検出される対象物（図１４(a)では、へびＡ２）の位置が表示画面２1に表示された画像内の特定範囲内（表示枠P１の内側領域）に含まれること。
なお、その他の条件として、次の条件２4又は３4を設定しても良い。
（条件２4）対象物位置検出手段６を介して検出される対象物の位置が表示画面２1に表示された画像の中心を含む特定範囲内に含まれること。
（条件３4）対象物位置検出手段６を介して検出される対象物の位置が表示画面２1に表示された画像の所定の点に位置すること。
また、特定範囲は、可変となっている。条件１4を設定する構成では、表示画面２1に表示された画像内における特定範囲の位置を設定する特定範囲位置設定手段（図示省略）を有している。また、条件１4、条件２4のいずれを設定する構成においても、表示画面２1に表示された画像内における特定範囲の大きさを設定する特定範囲サイズ設定手段（図示省略）を有している。
なお、条件１4を設定する構成では、表示画面２1には、表示枠Ｐ１を画像と共に表示するようにしてある。また、条件２4を設定する構成では、表示画面２1には、表示画面２1の中心を画像と共に表示することができるようになっている。
その他の構成は、図１に示した携帯情報端末と略同じである。
【００７９】
このように構成された第四実施形態の携帯情報端末を用いて所望の観察視野を観察するときの表示画面の表示内容を図１４及び図１５を用いて説明する。
第四実施形態においても、第一実施形態と同様、サファリパーク等の広大な領域を観察する場合について説明する。図１４(a)では、表示画面２1には観察視野Ａのうち、象Ａ１、へびＡ２、カバＡ３、蝶Ａ４、樹木Ｚが含まれる範囲が表示されているものとする。図１４(b)では、表示画面２1には観察視野Ａのうち、象Ａ１、へびＡ２、カバＡ３、蝶Ａ４が含まれる範囲が表示されているものとする。また、ここでは、最初に図１４(a)に示す画像が得られる向きに撮像手段１を向け、表示されている対象物のうち簡易情報を所望する対象物（実質的には、対象物位置検出手段６による位置の検出を所望する対象物である。ここでは、へびＡ２）を選択した後、徐々に撮像手段1の向きを移動させて図１４(b)に示す画像が得られるようにしたものとする。また、第一実施形態と同様、象Ａ１、へびＡ２、蝶４以外の対象物についての関連情報（簡易情報及び詳細情報）はデータベースに蓄積されていないものとする。
【００８０】
撮像手段１を介して撮像された観察視野Ａの画像は、表示画面２1の画像表示部２1ａにリアルタイムで表示される（ステップＳ５１）。ここでは、図１４(a)に示す画像のうち簡易情報を表示可能であることを示す標識（”×”印）以外の画像が表示されているものとする。次いで、抽出手段３1が表示画面２1にリアルタイムで表示されている画像から対象物を抽出する（ステップＳ５２）。次いで、対象物位置検出手段６が、撮像された画像が表示されている表示画面２1における、抽出手段３1を介して抽出された対象物の位置を検出するとともに、照合手段３2の簡易情報有無チェック手段３2ａ”が、抽出された対象物の情報をキーとして、図示省略した所定のデータベース内のデータと照合処理を行う（ステップＳ５３，Ｓ５５）。そして、データベース内のデータに一致するデータがある場合には、標識供給手段３2ｂ”が、簡易情報を表示可能な対象物であることを示す標識（ここでは”×”印）を表示画面２1の画像表示部２1ａに表示する（ステップＳ５６）。この対象物の簡易情報の有無チェックから簡易情報を表示可能な対象物であることを示す所定の標識の表示までの処理を抽出された全てのデータについて行う（ステップＳ５５）。
ここで、観察者が、撮像手段１を介して撮像された画像及び所定の標識がリアルタイムで表示されている表示画面２1の対象物選択部２1ｂ’において、詳細情報の表示を所望する対象物が表示されている部位として、へびＡ２が表示されている部位に指でタッチしたとする（ステップＳ６１）。すると、対象物位置検出手段６が、タッチされた対象物の現在の位置を検出する（ステップＳ６２）。次いで、制御手段４が、検出された対象物の位置が、表示画面２1に表示された画像内で特定の条件を満たすか否かをチェックする（ステップＳ６３，Ｓ６５）。検出された対象物の位置が、表示画面２1に表示された画像内で特定の条件を満たすとき（即ち、図１４(b)に示すように、へびＡ２が表示枠Ｐ１の内側に入っているとき）、簡易情報取得手段３2ｃ”が、抽出手段３1を介して抽出された対象物の情報のうちタッチした部位に表示されている対象物の情報をキーとして、図示省略した所定のデータベースより、その対象物についての簡易情報を取得する（図１４(b)では、へびＡ２に関連する簡易情報として、例えば一般名称”へび”を取得する）。そして、表示画面２1の画像表示部２1ａが、取得された情報を該画像とともに表示する（即ち、図１４(c)に示すように、へびＡ２の一般名称”へび”を表示する）。この対象物の位置チェックから対象物に関連する簡易情報の表示までの処理を抽出された全てのデータについて行う（ステップＳ６４）。
【００８１】
即ち、第四実施形態の携帯情報端末においては、図１４(a)に示すように表示画面２1の画像表示部２1ａには、簡易情報を表示可能な対象物について、所定の標識（ここでは”×”印）を示すようにした。ここで、観察者が、それらの対象物のうち、対象物選択部２1ｂ’を介してへびＡ２を選択したとする。このとき、図１４(a)に示すように、カバＡ３が特定の条件を満たす位置（即ち、表示枠Ｐ１の内側）に入っているが、カバＡ３は、選択されてなく、また、そもそも簡易情報を表示可能な対象物ではないので、表示画面２1の画像表示部２1ａにはカバＡ３についての簡易情報を表示可能な標識及び簡易情報は表示されない。また、対象物選択部２1ｂ’を介して選択されたへびＡ２は、特定の条件を満たす位置に入っていないので、へびＡ２に関する簡易情報は表示画面２1の画像表示部２1ａには表示されず、簡易情報を表示可能な標識のみが表示される。その他の簡易情報を表示可能な対象物も、特定の条件を満たす位置に入っていないので、表示画面２1の画像表示部２1ａにはそれらの対象物についての簡易情報は表示されず、簡易情報を表示可能な標識のみが表示される。なお、その他の簡易情報を表示可能な対象物は、対象物選択部２1ｂ’を介して選択されてもいない。このため、特定の条件を満たす位置に入っていたとしても、表示画面２1の画像表示部２1ａにはそれらの対象物についての簡易情報は表示されず、簡易情報を表示可能な標識のみが表示される。
一方、図１４(b)に示す表示画面２1の画像表示部２1ａに表示されている画像においては、対象物選択部２1ｂ’を介して選択されたへびＡ２が特定の条件を満たす位置に入っており、へびＡ２についての簡易情報はデータベースに蓄積されているので、表示画面２1の画像表示部２1ａにはへびＡ２についての簡易情報が標識とともに表示される。なお、その他の簡易情報を表示可能な対象物は、特定の条件を満たす位置に入っていない。このため、対象物選択部２1ｂ’を介して選択されていたとしても、それらの対象物に関する簡易情報は、表示画面２1の画像表示部２1ａには表示されない。
【００８２】
第四実施形態の携帯情報端末によれば、予め簡易情報を表示可能な対象物について所定の標識を表示するようにし、観察者が、それらの対象物のうちから簡易情報の表示を所望する対象物を選択することができるようにした。このため、簡易情報のない対象物を無駄に選択することがなくなる。また、観察者が観察視野内の画像だけの観察では、気が付きにくい対象物がいる場合、その対象物に気付き易くなる。
また、簡易情報の表示を所望しない対象物が簡易情報を所望する対象物とともに特定の条件を満たす位置に入っても、観察者が所望する対象物のみの簡易情報を表示させることができ、表示画面２1に表示されている所望の対象物を含む所望の観察視野の像をより見やすくすることができる。
その他の効果は、第一実施形態の携帯情報端末と略同じである。
【００８３】
第五実施形態
図１６は本発明の第五実施形態にかかる携帯情報端末の概略構成図である。図１７は図１６の携帯情報端末における表示画面での表示例を示す説明図で、(a)は選択された対象物が特定の条件を満たしていないときの表示状態を示す図、(b)は選択された対象物が特定の条件を満たしているときの表示状態を示す図である。図１８は第五実施形態の携帯情報端末を用いた操作及び処理手順を示すフローチャートである。なお、図１に示した携帯情報端末と同じ構成については、同じ符号を付してあり、詳細な説明は省略する。
【００８４】
第五実施形態にかかる携帯情報端末では、表示手段２は、表示画面２1と、表示画面２2を有している。
表示画面２1は、画像表示部２1ａと、対象物選択部２1ｂ’としての機能を有している。画像表示部２1ａは、制御手段４からの制御命令により、撮像手段１を介して撮像された画像、及び後述する簡易情報取得手段３2ｃ”を介して取得された簡易情報をリアルタイムで表示する機能を有する。表示画面２2は、後述する詳細情報取得手段３2ｂ’を介して取得された詳細情報を表示する機能を有する。対象物選択部２1ｂ’は、タッチパネルを介して、表示されている対象物のうちから詳細情報の表示を所望する対象物を、観察者に選択させる機能を有する。そして、ここでの対象物選択部２1ｂ’による選択では、観察者に対し、詳細情報を表示可能な対象物の中から、対象物位置検出手段６による位置の検出対象となる対象物を選択させる機能を有している。
また、第五実施形態にかかる携帯情報端末では、照合手段３2は、詳細情報有無チェック手段３2ａ’と、簡易情報取得手段３2ｃ”と、詳細情報取得手段３2ｂ’を有して構成されている。
詳細情報有無チェック手段３2ａ’は、抽出手段３1を介して抽出された対象物の情報をキーとして図示省略した所定のデータベース内のデータと照合処理を行う。簡易情報取得手段３2ｃ”は、データベース内のデータに一致するデータがある場合には、関連する簡易情報を取得し、画像表示部２1ａにおける対象物に対応する位置に供給する。詳細情報取得手段３2ｂ’は、データベース内のデータから関連する詳細情報を取得し、表示画面２2に供給する。
【００８５】
また、第五実施形態にかかる携帯情報端末では、制御手段４は、マイクロコンピュータを備えた制御回路であり、携帯情報端末の動作を次のように制御する。
観察者が撮像手段１を所望の観察視野に向けたときには、撮像手段１にその所望の観察視野を撮像させる。次いで、撮像された画像を、表示画面２1の画像表示部２1ａにリアルタイムで表示させる。次いで、抽出手段３1に、表示画面２1にリアルタイムで表示されている画像から対象物を抽出させる。次いで、対象物位置検出手段６に、抽出手段３1を介して抽出された対象物の位置を検出させるとともに、照合手段３2の詳細情報有無チェック手段３2ａ’に、抽出手段３1を介して抽出された対象物の情報をキーとして図示省略した所定のデータベース内のデータと照合処理を行わせる。そして、照合するデータが存在する対象物に対しては、簡易情報取得手段３2ｃ”に、関連する簡易情報を取得させ、取得された簡易情報を、表示されている画像に重ねて表示画面２1の画像表示部２1ａに表示させる。
また、観察者が表示画面２1の対象物選択部２1ｂ’において、簡易情報が表示されている対象物のうち詳細情報の表示を所望する対象物の表示部位にタッチしたときに、対象物位置検出手段６に、タッチされた対象物の現在の位置を検出させる。そして、検出された対象物の位置が、表示画面２1に表示された画像内で特定の条件を満たすか否かをチェックする。検出された対象物の位置が、表示画面２1に表示された画像内で特定の条件を満たすときに、詳細情報取得手段３2ｂ’に、抽出手段３1を介して抽出された対象物の情報をキーとして図示省略した所定のデータベース内のデータと照合処理を行わせる。そして、照合する対象物に関連する詳細情報を取得させ、取得された詳細情報を表示画面２2に表示させる。
【００８６】
ここでの特定の条件としては、例えば、次の条件１5が設定されている。
（条件１5）図１７(b)に示すように、対象物位置検出手段６を介して検出される対象物（図１７(a)では、へびＡ２）の位置が表示画面２1に表示された画像内の特定範囲内（表示枠P１の内側領域）に含まれること。
なお、その他の条件として、次の条件２5又は３5を設定しても良い。
（条件２5）対象物位置検出手段６を介して検出される対象物の位置が表示画面２1に表示された画像の中心を含む特定範囲内に含まれること。
（条件３5）対象物位置検出手段６を介して検出される対象物の位置が表示画面２1に表示された画像の所定の点に位置すること。
また、特定範囲は、可変となっている。条件１5を設定する構成では、表示画面２1に表示された画像内における特定範囲の位置を設定する特定範囲位置設定手段（図示省略）を有している。また、条件１5、条件２5のいずれを設定する構成においても、表示画面２1に表示された画像内における特定範囲の大きさを設定する特定範囲サイズ設定手段（図示省略）を有している。
なお、条件１5を設定する構成では、表示画面２1には、表示枠Ｐ１を画像と共に表示するようにしてある。また、条件２5を設定する構成では、表示画面２1には、表示画面２1の中心を画像と共に表示することができるようになっている。
その他の構成は、図１に示した携帯情報端末と略同じである。
【００８７】
このように構成された第五実施形態の携帯情報端末を用いて所望の観察視野を観察するときの表示画面の表示内容を図１７及び図１８を用いて説明する。
第五実施形態においても、第一実施形態と同様、サファリパーク等の広大な領域を観察する場合について説明する。図１７(a)では、表示画面２1には観察視野Ａのうち、象Ａ１、へびＡ２、カバＡ３、蝶Ａ４、樹木Ｚが含まれる範囲が表示されているものとする。図１７(b)では、表示画面２1には観察視野Ａのうち、象Ａ１、へびＡ２、カバＡ３、蝶Ａ４が含まれる範囲が表示されているものとする。また、ここでは、最初に図１７(a)に示す画像が得られる向きに撮像手段１を向け、表示されている対象物のうち詳細情報を所望する対象物（実質的には、対象物位置検出手段６による位置の検出を所望する対象物である。ここでは、へびＡ２）を選択した後、徐々に撮像手段1の向きを移動させて図１７(b)に示す画像が得られるようにしたものとする。また、第一実施形態と同様、象Ａ１、へびＡ２、蝶４以外の対象物についての関連情報（簡易情報及び詳細情報）はデータベースに蓄積されていないものとする。
【００８８】
撮像手段１を介して撮像された観察視野Ａの画像は、表示画面２1の画像表示部２1ａにリアルタイムで表示される（ステップＳ７１）。ここでは、図１７(a)に示す画像のうち詳細情報を表示可能な対象物であることを示す簡易情報（”ぞう”や”へび”や”ちょう”などの対象物の一般名称及び標識”×”印）以外の画像が表示されているものとする。次いで、抽出手段３1が表示画面２1にリアルタイムで表示されている画像から対象物を抽出する（ステップＳ７２）。次いで、対象物位置検出手段６が、撮像された画像が表示されている表示画面２1における、抽出手段３1を介して抽出された対象物の位置を検出するとともに、照合手段３2の詳細情報有無チェック手段３2ａ’が、抽出された対象物の情報をキーとして、図示省略した所定のデータベース内のデータと照合処理を行う（ステップＳ７３，Ｓ７５）。そして、データベース内のデータに一致するデータがある場合には、簡易情報取得手段３2ｃ”が、詳細情報を表示可能な対象物であることを示す簡易情報（”ぞう”や”へび”や”ちょう”などの対象物の一般名称及び標識”×”印）をデータベースより取得し、表示画面２1の画像表示部２1ａに表示する（ステップＳ７６）。この対象物の詳細情報の有無チェックから詳細情報を表示可能な対象物であることを示す簡易情報の表示までの処理を抽出された全てのデータについて行う（ステップＳ７５）。
ここで、観察者が、撮像手段１を介して撮像された画像及び簡易情報がリアルタイムで表示されている表示画面２1の対象物選択部２1ｂ’において、詳細情報の表示を所望する対象物が表示されている部位として、へびＡ２が表示されている部位に指でタッチしたとする（ステップＳ８１）。すると、対象物位置検出手段６が、タッチされた対象物の現在の位置を検出する（ステップＳ８２）。次いで、制御手段４が、検出された対象物の位置が、表示画面２1に表示された画像内で特定の条件を満たすか否かをチェックする（ステップＳ８３，Ｓ８５）。検出された対象物の位置が、表示画面２1に表示された画像内で特定の条件を満たすとき（即ち、図１７(b)に示すように、へびＡ２が表示枠Ｐ１の内側に入っているとき）、詳細情報取得手段３2ｂ’が、抽出手段３1を介して抽出された対象物の情報のうちタッチした部位に表示されている対象物の情報をキーとして、図示省略した所定のデータベースより、その対象物についての詳細情報を取得する（図１７(b)では、へびＡ２に関連する詳細情報として、タッチした部位に表示されているへびＡ２に関連する、例えば、科、目、属の名称や生息地、特徴などの詳細情報を取得する）（ステップＳ８６）。取得されたへびに関する詳細情報は、リアルタイムで表示されている表示画面２1とは別の表示画面２2に表示される（ステップＳ８７）。この対象物の位置チェックから対象物に関連する詳細情報の表示までの処理を抽出された全てのデータについて行う（ステップＳ８４）。
【００８９】
即ち、第五実施形態の携帯情報端末においては、図１７(a)に示すように表示画面２1の画像表示部２1ａには、詳細情報を表示可能な対象物について、簡易情報（ここでは”ぞう”や”へび”や”ちょう”などの対象物の一般名称及び標識”×”印）を示すようにした。ここで、観察者が、それらの対象物のうち、対象物選択部２1ｂ’を介してへびＡ２を選択したとする。このとき、図１７(a) に示すように、カバＡ３が特定の条件を満たす位置（即ち、表示枠Ｐ１の内側）に入っているが、カバＡ３は、選択されてなく、また、そもそも詳細情報を表示可能な対象物ではないので、表示画面２1の画像表示部２1ａにはカバＡ３についての簡易情報は表示されない。また、対象物選択部２1ｂ’を介して選択されたへびＡ２は、特定の条件を満たす位置に入っていないので、へびＡ２に関する詳細情報は表示画面２2には表示されず、簡易情報のみが表示画面２1の画像表示部２1ａに表示画像に重ねて表示される。その他の詳細情報を表示可能な対象物も、特定の条件を満たす位置に入っていないので、表示画面２2にはそれらの対象物についての詳細情報は表示されず、簡易情報のみが表示画面２1の画像表示部２1ａに表示画像に重ねて表示される。なお、その他の詳細情報を表示可能な対象物は、対象物選択部２1ｂ’を介して選択されてもいない。このため、特定の条件を満たす位置に入っていたとしても、表示画面２2にはそれらの対象物についての詳細情報は表示されず、簡易情報のみが表示画面２1の画像表示部２1ａに表示画像に重ねて表示される。
【００９０】
一方、図１７(b)に示す表示画面２1の画像表示部２1ａに表示されている画像においては、対象物選択部２1ｂ’を介して選択されたへびＡ２が特定の条件を満たす位置に入っており、へびＡ２についての簡易情報及び詳細情報はデータベースに蓄積されているので、簡易情報が表示画面２1の画像表示部２1ａに画像に重ねて表示されるとともに、表示画面２2にはへびＡ２についての詳細情報が表示される。なお、その他の詳細情報を表示可能な対象物は、特定の条件を満たす位置に入っていない。このため、対象物選択部２1ｂ’を介して選択されていたとしても、それらの対象物に関する詳細情報は２2には表示されない。
【００９１】
第五実施形態の携帯情報端末によれば、予め詳細情報を表示可能な対象物について簡易情報を表示するようにし、観察者が、それらの対象物のうちから詳細情報の表示を所望する対象物を選択することができるようにした。このため、詳細情報のない対象物を無駄に選択することがなくなる。また、観察者が観察視野内の画像だけの観察では、気が付きにくい対象物がいる場合、その対象物に気付き易くなる。さらに、詳細情報を画像表示画面とは別の表示画面に表示するようにしたので、対象物をリアルタイムで観察しながらその対象物に詳しく知ることができる。
その他の効果は、第一実施形態の携帯情報端末と略同じである。
【００９２】
第六実施形態
図１９は本発明の第六実施形態にかかる携帯情報端末、及び携帯情報システムの概略構成図である。図２０は図１９に示す携帯情報端末、及び携帯情報システムにおけるリアルタイム表示画面と詳細情報表示画面での一表示例を示す説明図で、(a)は２つの表示画面を展開した状態で、実際の観察時の使用態様を示す斜視図、(b)は選択された対象物が特定の条件を満たしていないときの表示状態を示す図、(c)は選択された対象物が特定の条件を満たしているときの表示状態を示す図である。図２１は第六実施形態の携帯情報端末、及び携帯情報システムを用いた操作及び処理手順を示すフローチャートである。なお、図１に示した携帯情報端末と同じ構成については、同じ符号を付してあり、詳細な説明は省略する。
【００９３】
第六実施形態にかかる携帯情報システムは、携帯情報端末１０と、サーバ２０とからなる。
携帯情報端末１０は、撮像手段１と、表示手段２と、対象物関連情報取得手段３と、対象物位置検出手段６と、スピーカー７と、通信部８を有している。なお、４は制御手段、５は保存手段である。
表示手段２は、表示画面２1と、表示画面２2とで構成されている。
表示画面２1は、画像表示部２1ａと、対象物選択部２1ｂ’としての機能を有している。画像表示部２1ａは、制御手段４からの制御命令により、撮像手段１を介して撮像された画像、及び後述する簡易情報取得手段３2ｃ”を介して取得された簡易情報をリアルタイムで表示する機能を有する。表示画面２2は、後述する詳細情報取得手段３2ｂ’を介して取得された詳細情報を表示する機能を有する。対象物選択部２1ｂ’は、タッチパネルを介して、表示されている対象物のうちから詳細情報の表示を所望する対象物を、観察者に選択させる機能を有する。なお、ここでの対象物選択部２1ｂ’は、観察者に対し、詳細情報を表示可能な対象物の中から、対象物位置検出手段６による位置の検出対象となる対象物を選択させる機能を有している。
また、第六実施形態にかかる携帯情報端末では、照合手段３2は、詳細情報有無チェック手段３2ａ’と、簡易情報取得手段３2ｃ”と、詳細情報取得手段３2ｂ’を有して構成されている。
詳細情報有無チェック手段３2ａ’は、抽出手段３1を介して抽出された対象物の情報をキーとして通信部８，２２を介してサーバ２０におけるデータベース２１内のデータと照合処理を行う。
サーバ２０は、通信部２１と、データベース２２を有している。データベース２２には、所定の対象物に関連する簡易情報及び詳細情報が蓄積されている。通信部２１は、携帯情報端末１０の通信部８と交信することができるようになっている。
簡易情報取得手段３2ｃ”は、抽出手段３1を介して抽出された対象物の情報をキーとし、通信部８を介して、サーバ２０の通信部２２と交信し、データベース２１内のデータと照合処理を行う。そして、データベース２１内のデータに一致するデータがある場合には、詳細情報を取得可能な対象物であることを示す簡易情報を取得し、画像表示部２1ａにおける対象物に対応する位置に供給する。詳細情報取得手段３2ｂ’は、撮像手段１を介して撮像された画像がリアルタイムで表示されている表示画面２1における、タッチした部位に表示されている対象物の情報をキーとし、通信部８を介して、サーバ２０の通信部２２と交信し、データベース２１内のデータと照合処理を行い、関連する詳細情報を取得する。そして、取得した詳細情報のうち、音声情報をスピーカー７に供給し、視覚情報を表示画面２2に供給する。
また、表示画面２2は、画像情報表示画面２21と文字情報表示画面２22を有している。そして、画像情報表示画面２21には、詳細情報取得手段３2ｂを介して供給された視覚情報のうち、画像情報が表示される。また、文字情報表示画面２22には、詳細情報取得手段３2ｂを介して供給された視覚情報のうち、文字情報が表示される。
【００９４】
また、第六実施形態にかかる携帯情報端末では、制御手段４は、マイクロコンピュータを備えた制御回路であり、携帯情報端末の動作を次のように制御する。
観察者が撮像手段１を所望の観察視野に向けたときには、撮像手段１にその所望の観察視野を撮像させる。次いで、撮像された画像を、表示画面２1の画像表示部２1ａにリアルタイムで表示させる。次いで、抽出手段３1に、表示画面２1にリアルタイムで表示されている画像から対象物を抽出させる。次いで、対象物位置検出手段６に、抽出手段３1を介して抽出された対象物の位置を検出させるとともに、照合手段３2の詳細情報有無チェック手段３2ａ’に、抽出手段３1を介して抽出された対象物の情報をキーとして、通信部８を介して、サーバ２０の通信部２２と交信し、データベース２１内のデータと照合処理を行わせる。そして、データベース２１内のデータに一致するデータがある対象物に対しては、簡易情報取得手段３2ｃ”に、関連する簡易情報を取得させ、取得された簡易情報を、表示されている画像に重ねて表示画面２1の画像表示部２1ａに表示させる。
また、観察者が表示画面２1の対象物選択部２1ｂ’において、簡易情報が表示されている対象物のうち詳細情報の表示を所望する対象物の表示部位にタッチしたときに、対象物位置検出手段６に、タッチされた対象物の現在の位置を検出させる。そして、検出された対象物の位置が、表示画面２1に表示された画像内で特定の条件を満たすか否かをチェックする。検出された対象物の位置が、表示画面２1に表示された画像内で特定の条件を満たすときに、詳細情報取得手段３2ｂ’に、抽出手段３1を介して抽出された対象物の情報をキーとして、通信部８を介して、サーバ２０の通信部２２と交信し、データベース２１内のデータと照合処理を行わせる。そして、照合する対象物に関連する詳細情報を取得させ、取得された詳細情報を表示画面２2に表示させる。
【００９５】
ここでの特定の条件としては、例えば、次の条件１6が設定されている。
（条件１6）図２０(c)に示すように、対象物位置検出手段６を介して検出される対象物（図２０(a)では、へびＡ２）の位置が表示画面２1に表示された画像内の特定範囲内（表示枠P１の内側領域）に含まれること。
なお、その他の条件として、次のような条件２6又は３6を設定しても良い。
（条件２6）対象物位置検出手段６を介して検出される対象物の位置が表示画面２1に表示された画像の中心を含む特定範囲内に含まれること。
（条件３6）対象物位置検出手段６を介して検出される対象物の位置が表示画面２1に表示された画像の所定の点に位置すること。
また、特定範囲は、可変となっている。条件１6を設定する構成では、表示画面２1に表示された画像内における特定範囲の位置を設定する特定範囲位置設定手段（図示省略）を有している。また、条件１6、条件２6のいずれを設定する構成においても、表示画面２1に表示された画像内における特定範囲の大きさを設定する特定範囲サイズ設定手段（図示省略）を有している。
なお、条件１6を設定する構成では、表示画面２1には、表示枠Ｐ１を画像と共に表示するようにしてある。また、条件２6を設定する構成では、表示画面２1には、表示画面２1の中心を画像と共に表示することができるようになっている。
その他の構成は、図１に示した携帯情報端末と略同じである。
【００９６】
このように構成された第六実施形態の携帯情報端末及び携帯情報システムを用いて所望の観察視野を観察するときの表示画面の表示内容を図２１及び図２２を用いて説明する。
第六実施形態においても、第一実施形態と同様、サファリパーク等の広大な領域を観察する場合について説明する。図２０(a)，(b)では、表示画面２1には観察視野Ａのうち、象Ａ１、へびＡ２、カバＡ３、蝶Ａ４、樹木Ｚが含まれる範囲が表示されているものとする。図２０(c)では、表示画面２1には観察視野Ａのうち、象Ａ１、へびＡ２、カバＡ３、蝶Ａ４が含まれる範囲が表示されているものとする。また、ここでは、最初に図２０(a)に示す画像が得られる向きに撮像手段１を向け、表示されている対象物のうち詳細情報を所望する対象物（実質的には、対象物位置検出手段６による位置の検出を所望する対象物である。ここでは、へびＡ２）を選択した後、徐々に撮像手段１の向きを移動させて図２０(c)に示す画像が得られるようにしたものとする。また、第一実施形態と同様、象Ａ１、へびＡ２、蝶４以外の対象物についての関連情報（簡易情報及び詳細情報）はデータベースに蓄積されていないものとする。
【００９７】
使用に際しては、図２０(a)に示すように、表示画面２1の設けられた基部と表示画面２２の設けられた基部とをヒンジ手段６を介して開く。そして、観察者からみて表示画面２1の前方に観察視野Ａが位置するように表示画面２1を備えた基部を開く。そして、撮像手段１を観察視野Ａに向ける。すると、撮像手段１が観察視野Ａを撮像する。
【００９８】
撮像手段１を介して撮像された観察視野Ａの画像は、表示画面２1の画像表示部２1ａにリアルタイムで表示される（ステップＳ９１）。ここでは、図２０(a)に示す画像のうち詳細情報を表示可能な対象物であることを示す簡易情報（”ぞう”や”へび”や”ちょう”などの対象物の一般名称及び標識”×”印）以外の画像が表示されているものとする。次いで、抽出手段３1が表示画面２1にリアルタイムで表示されている画像から対象物を抽出する（ステップＳ９２）。次いで、対象物位置検出手段６が、撮像された画像が表示されている表示画面２1における、抽出手段３1を介して抽出された対象物の位置を検出するとともに、照合手段３2の詳細情報有無チェック手段３2ａ’が、抽出された対象物の情報をキーとして、通信部８を介して、サーバ２０の通信部２２と交信し、データベース２１内のデータと照合処理を行う（ステップＳ９３，Ｓ９５）。そして、データベース内のデータに一致するデータがある場合には、簡易情報取得手段３2ｃ”が、詳細情報を表示可能な対象物であることを示す簡易情報（”ぞう”や”へび”や”ちょう”などの対象物の一般名称及び標識”×”印）をサーバ２０のデータベース２１より取得し、表示画面２1の画像表示部２1ａに表示する（ステップＳ９６）。この対象物の詳細情報の有無チェックから詳細情報を表示可能な対象物であることを示す簡易情報の表示までの処理を抽出された全てのデータについて行う（ステップＳ９５）。
ここで、観察者が、撮像手段１を介して撮像された画像及び簡易情報がリアルタイムで表示されている表示画面２1の対象物選択部２1ｂ’において、詳細情報の表示を所望する対象物が表示されている部位として、へびＡ２が表示されている部位に指１００でタッチしたとする（ステップＳ１０１）。すると、対象物位置検出手段６が、タッチされた対象物の現在の位置を検出する（ステップＳ１０２）。次いで、制御手段４が、検出された対象物の位置が、表示画面２1に表示された画像内で特定の条件を満たすか否かをチェックする（ステップＳ１０３，Ｓ１０５）。検出された対象物の位置が、表示画面２1に表示された画像内で特定の条件を満たすとき（即ち、図２０(c)に示すように、へびＡ２が表示枠Ｐ１の内側に入っているとき）、詳細情報取得手段３2ｂ’が、抽出手段３1を介して抽出された対象物の情報のうちタッチした部位に表示されている対象物の情報をキーとして、通信部８を介して、サーバ２０の通信部２２と交信し、データベース２１より、その対象物についての詳細情報を取得する（図２０(c)では、へびＡ２に関連する詳細情報として、タッチした部位に表示されているへびＡ２に関連する、例えば、科、目、属の名称や生息地、特徴、鳴き声などの詳細情報を取得する）（ステップＳ１０６）。取得した詳細情報のうち、視覚情報を表示画面２2（画像情報を表示画面２2ａ、文字情報を表示画面２2ｂ）に表示するとともに、音声情報をスピーカー７より出力する（ステップＳ１０７）。この対象物の位置チェックから対象物に関連する詳細情報の表示、出力までの処理を抽出された全てのデータについて行う（ステップＳ１０４）。
【００９９】
即ち、第六実施形態の携帯情報システムにおいては、第五実施形態の携帯情報端末と略同様に、図２０(b)に示すように表示画面２1の画像表示部２1ａには、詳細情報を表示可能な対象物について、簡易情報（ここでは”ぞう”や” へび”や”ちょう”などの対象物の一般名称及び標識”×”印）を示すようにした。ここで、観察者が、それらの対象物のうち、対象物選択部２1ｂ’を介してへびＡ２を選択したとする。このとき、図２０(b) に示すように、カバＡ３が特定の条件を満たす位置（即ち、表示枠Ｐ１の内側）に入っているが、カバＡ３は、選択されてなく、また、そもそも詳細情報を表示可能な対象物ではないので、表示画面２1の画像表示部２1ａにはカバＡ３についての簡易情報は表示されない。また、対象物選択部２1ｂ’を介して選択されたへびＡ２は、特定の条件を満たす位置に入っていないので、へびＡ２に関する詳細情報は表示画面２2には表示されず、簡易情報のみが表示画面２1の画像表示部２1ａに表示画像に重ねて表示される。その他の詳細情報を表示可能な対象物も、特定の条件を満たす位置に入っていないので、表示画面２2にはそれらの対象物についての詳細情報は表示されず、簡易情報のみが表示画面２1の画像表示部２1ａに画像に重ねて表示される。なお、その他の詳細情報を表示可能な対象物は、対象物選択部２1ｂ’を介して選択されてもいない。このため、特定の条件を満たす位置に入っていたとしても、表示画面２2にはそれらの対象物についての詳細情報は表示されず、簡易情報のみが表示画面２1の画像表示部２1ａに表示画像に重ねて表示される。
【０１００】
一方、図２０(c)に示す表示画面２1の画像表示部２1ａに表示されている画像においては、対象物選択部２1ｂ’を介して選択されたへびＡ２が特定の条件を満たす位置に入っており、へびＡ２についての簡易情報及び詳細情報はデータベースに蓄積されているので、簡易情報が表示画面２1の画像表示部２1ａに画像に重ねて表示されるとともに、表示画面２2にはへびＡ２についての詳細情報が表示される。なお、その他の詳細情報を表示可能な対象物は、特定の条件を満たす位置に入っていない。このため、対象物選択部２1ｂ’を介して選択されていたとしても、それらの対象物に関する詳細情報は２2には表示されない。
【０１０１】
第六実施形態の携帯情報システムによれば、第五実施形態と同様の効果に加えて、対象物に関連する情報を照合、取得するためのデータベース２１を携帯情報端末１０の外部のサーバ２０に備えたので、検索及び取得可能な情報量を無限に増大化させることができ、対象物についてのより詳しい情報が得られ易くなる。
その他の作用効果は第五実施形態の携帯情報端末と略同じである。
なお、第一実施形態〜第五実施形態の携帯情報端末においても、データベースを携帯情報端末の外部のサーバに設けても良い。
また、第六実施形態の携帯情報システムにおいて、さらに、詳細情報が表示されている表示画面２2の表面をタッチパネルで構成するとともに、表示画面２2における、所望の情報が表示されている部位にタッチしたときに、タッチした部位に表示されている情報に関連する詳細情報を、対象物関連情報取得手段３を介して取得し、詳細情報が表示されている表示画面２2の所定領域に表示するようにするのが好ましい。
このようにすれば、より詳細な情報の表示や拡大表示ができ、よりわかりやすくなる。
【０１０２】
また、本発明の携帯情報端末及び携帯情報システムにおいては、ＧＰＳシステム等、所定の測位システムを介して詳細情報を表示可能な対象物の位置情報をリアルタイムで検出できるようにし、所定の測位システムを介して検出されている位置に簡易情報を表示するようにするのが好ましい。
例えば、走るヒョウや空を飛ぶ鳥など、観察視野内における位置を短時間で大きく変化させる対象物の場合、図１９に示す構成において、抽出手段３1を介して対象物を抽出してから、簡易情報取得手段３2ａを介して対象物の簡易情報を取得させるまでの僅かな時間に、観察視野内における位置を大きく変動させることが考えられる。そのような場合、簡易情報を表示させたときには、対象物が簡易情報の表示位置から離れた位置に移動して、簡易情報と対象物との対応付けができなくなることも場合によってはありうる。
しかるに、上述したように所定の測位システムを介して検出されている位置に簡易情報を表示するようにすれば、対象物が観察視野内における位置を短時間で大きく変化させても、リアルタイムで表示されている表示画面において、簡易情報を対象物の近傍に表示させることができる。
【産業上の利用可能性】
【０１０３】
本発明は、広大な範囲の領域に生息する複数種類の動物や植物を観察することを必要とする分野に有用である。
【図面の簡単な説明】
【０１０４】
【図１】本発明の携帯情報端末の基本構成の一例を示す説明図である。
【図２】図１に示す携帯情報端末を用いた操作及び処理手順を示すフローチャートである。
【図３】本発明の第一実施形態にかかる携帯情報端末の概略構成図である。
【図４】図３に示す携帯情報端末の説明図で、(a)は観察視野の一例を示す図、(b)は(a)の観察視野を実際に観察時の使用態様を示す斜視図である。
【図５】図４の携帯情報端末における表示画面での表示例を示す説明図で、(a)は一表示例を示す図、(b)は変形例を示す図である。
【図６】第一実施形態の携帯情報端末を用いた操作及び処理手順を示すフローチャートである。
【図７】本発明の第二実施形態にかかる携帯情報端末の概略構成図である。
【図８】図７の携帯情報端末における表示画面での表示例を示す説明図で、(a)は関連情報を有しない対象物が特定の条件を満たし、関連情報を有する対象物が特定の条件を満たしていないときの表示状態を示す図、(b)は関連情報を有する対象物が特定の条件を満たしているときの表示状態を示す図である。
【図９】第二実施形態の携帯情報端末を用いた操作及び処理手順を示すフローチャートである。
【図１０】本発明の第三実施形態にかかる携帯情報端末の概略構成図である。
【図１１】図１０の携帯情報端末における表示画面での表示例を示す説明図で、(a)は表示画面において所望の対象物を指定したときの状態を示す図、(b)は(a)と同じ表示内容を示す図であって、(a)において指定されていない対象物が特定の条件を満たし、(a)において指定された対象物が特定の条件を満たしていないときの表示状態を示す図、(c)は(a)において指定された対象物が特定の条件を満たしているときの表示状態を示す図である。
【図１２】第三実施形態の携帯情報端末を用いた操作及び処理手順を示すフローチャートである。
【図１３】本発明の第四実施形態にかかる携帯情報端末の概略構成図である。
【図１４】図１３の携帯情報端末における表示画面での表示例を示す説明図で、(a)は選択された対象物が特定の条件を満たしていないときの表示状態を示す図、(b)は選択された対象物が特定の条件を満たしているときの表示状態を示す図である。
【図１５】第四実施形態の携帯情報端末を用いた操作及び処理手順を示すフローチャートである。
【図１６】本発明の第五実施形態にかかる携帯情報端末の概略構成図である。
【図１７】図１６の携帯情報端末における表示画面での表示例を示す説明図で、(a)は選択された対象物が特定の条件を満たしていないときの表示状態を示す図、(b)は選択された対象物が特定の条件を満たしているときの表示状態を示す図である。
【図１８】第五実施形態の携帯情報端末を用いた操作及び処理手順を示すフローチャートである。
【図１９】本発明の第六実施形態にかかる携帯情報端末、及び携帯情報システムの概略構成図である。
【図２０】図１９に示す携帯情報端末、及び携帯情報システムにおけるリアルタイム表示画面と詳細情報表示画面での一表示例を示す説明図で、(a)は２つの表示画面を展開した状態で、実際の観察時の使用態様を示す斜視図、(b)は選択された対象物が特定の条件を満たしていないときの表示状態を示す図、(c)は選択された対象物が特定の条件を満たしているときの表示状態を示す図である。
【図２１】第六実施形態の携帯情報端末、及び携帯情報システムを用いた操作及び処理手順を示すフローチャートである。
【符号の説明】
【０１０５】
１                  撮像手段
２                  表示手段
２1                （リアルタイム画像）表示画面
２1ａ               画像表示部
２1ｂ               対象物指定部
２1ｂ’             対象物選択部
２2                （詳細情報）表示画面
２21                画像情報表示画面
２22                文字情報表示画面
３                  対象物関連情報取得手段
３1                 抽出手段
３2                （データベース）照合手段
３2ａ，３2ａ”      簡易情報有無チェック手段
３2ａ１，３2ｃ”    簡易情報取得手段
３2ａ’             詳細情報有無チェック手段
３2ｂ’             詳細情報取得手段
３2ｂ”             標識供給手段
４                  制御手段
５                  保存手段
６                  ヒンジ手段
７                  スピーカー
８                  通信部
１０                携帯情報端末
２０                サーバ
２１                通信部
２２                データベース部
【図１】
0005064269.tif 000002
【図２】
0005064269.tif 000003
【図３】
0005064269.tif 000004
【図４】
0005064269.tif 000005
【図５】
0005064269.tif 000006
【図６】
0005064269.tif 000007
【図７】
0005064269.tif 000008
【図８】
0005064269.tif 000009
【図９】
0005064269.tif 000010
【図１０】
0005064269.tif 000011
【図１１】
0005064269.tif 000012
【図１２】
0005064269.tif 000013
【図１３】
0005064269.tif 000014
【図１４】
0005064269.tif 000015
【図１５】
0005064269.tif 000016
【図１６】
0005064269.tif 000017
【図１７】
0005064269.tif 000018
【図１８】
0005064269.tif 000019
【図１９】
0005064269.tif 000020
【図２０】
0005064269.tif 000021
【図２１】
0005064269.tif 000022